(57)【特許請求の範囲】
【請求項１】
１枚の写真に対応したコマの複数個が横方向に一列に並んだ帯状の写真用フィルムを抜き差し自在に収納するポケット部が多段に備えられており、前記各ポケット部は、写真用フィルムを片側から抜き差しできるように一端部が閉じて他端部が開口した形態になっており、各ポケット部の表面に、当該ポケット部に収納された写真用フィルムの各コマに対応した複数の単位表示部をそれぞれ設けている、
という構成であって、
前記各単位表示部を挟んで上下両側に連続した部分のうち少なくともいずれか一方の表面を、筆記具で記入できる注文欄と成しており、
更に、最上段に位置したポケット部の表面のうち一端部寄りに位置した複数の単位表示部の表面を、筆記具で書き込みできるテータ記入部と成している、
写真用フィルムの収納体。
【請求項２】
前記注文欄に、収納した写真用フィルムにおける画像のコマ番号を通し番号として表示している、
請求項１に記載した写真用フィルムの収納体。
【発明の詳細な説明】
【技術分野】
【０００１】  本発明は、ネガフィルムやポジフィルムのような写真用フィルムを収納する収納体に関するものである。
【背景技術】
【０００２】  この種の写真用フィルム用の収納体としては、２枚の透明な合成樹脂製薄シートを素材として、これらを多段状に溶着することにより、一端が開口し他端が閉塞したポケット部を多段に形成した「ネガ袋」と称されるものが使用されており、複数（例えば６コマ）のコマが連続した状態に切断されたコマ連続フィルムをポケット部に差し込んでいる。【０００３】  そして、特許文献１には、ネガ袋の表面に、各コマに対応して焼き増し注文欄を設けることが記載されている。他方、特許文献２公報では、ネガ袋とは別の注文シートにポジ写真を印画し、このシートに焼き増し注文欄を設けることを提案している。
【特許文献１】実公昭５９−３９０７号公報
【特許文献２】特開平１０−１１９４６５号公報
【発明の開示】
【発明が解決しようとする課題】
【０００４】  ところで、ネガフィルムは、陰影がポジ画とは逆になっているため光に透かさないと内容を視認できないことと、画像がポジ画とは裏返しになっているため画像を見づらいことが相まって、内容の確認が頗る厄介であった。このようなネガの内容を視認できない腹立たしさは、ユーザーにとって怒りに近いものであった。【０００５】  また、ネガフィルムは現像されてから複数本のコマ連続フィルムに切断されてネガ袋に収納されるが、ＤＰＥ店において、各コマ連続フィルムを上から順に番号通りに並べずにでたらめに並べたり、或いはコマ連続フィルムを左右逆にしてポケット部に挿入したりすることがあり、このことが画像確認の作業を一層面倒なものにしていた。【０００６】  実公昭５９−３９０７号公報の場合、ネガ袋自体に焼き増し数を記入できるので、顧客及びＤＰＥ店での取り扱いの点では便利ではあるが、上記したような画像内容の確認の面倒さはまったく解消できていなかった。このため、注文間違いもしばしば見られた。【０００７】  他方、特開平１０−１１９４６５号公報は、画像内容の確認を容易に行えるという点では優れているが、ネガ袋と注文シートとが別々であるため、紛失しやすいという問題があった。【０００８】  近年、ネガフィルムはデジタルカメラの普及によって売り上げが落ちている。デジタル写真の普及は画像加工の自由さなど本質的機能に基づく部分は多分にあるが、フィルム写真は画像の質が高いにもかかわらず販売額の低下は著しい。その理由の一端に、上記したようなネガフィルムの内容視認の厄介さがあると言える。【０００９】  本発明は、このような現状を改善すべく成されたものである。
【課題を解決するための手段】
【００１０】
【００１１】本願発明の前提の構成として、前記写真用フィルムは、１枚の写真に対応したコマの複数個が横方向に一列に並んだ帯状のコマ連続フィルムになっている。【００１２】そして、請求項１の発明では、上記写真用フィルムを抜き差し自在に収納するポケット部が多段に備えられており、前記各ポケット部は、写真用フィルムを片側から抜き差しできるように一端部が閉じて他端部が開口した形態になっており、各ポケット部の表面に、当該ポケット部に収納された写真用フィルムの各コマに対応した複数の単位表示部をそれぞれ設けている、という構成において、前記各単位表示部を挟んで上下両側に連続した部分のうち少なくともいずれか一方の表面を、筆記具で記入できる記入欄と成しており、更に、最上段に位置したポケット部の表面のうち一端部寄りに位置した複数の単位表示部の表面を、筆記具で書き込みできるデータ記入部と成している。【００１３】請求項２の発明では、請求項１において、前記注文欄に、収納した写真用フィルムにおける画像のコマ番号を通し番号として表示している。【００１４】本願発明では、前記フィルム収納部の周囲のうちポケット部の一端部に連続する部分に、バインダーのようなファイル手段でファイルすることを許容する横幅の余裕部を一体に設けることができる。【００１５】  本発明において、画像表示部を形成する方法は様々の態様を採用できる。その一つは合成樹脂シート製のフィルム収納部の表面に紙を貼着して、この紙にインクジェット式等のプリンタでプリントすることである。他の方法として、合成樹脂使シートよりなるフィルム収納部の表面に、白い印刷インキを塗布する等して非紙質のプリント許容層（或いは膜）を形成して、これに画像をプリントすることである。もちろん、他の方法も採用できる。【００１６】  ところで、合成樹脂に関する技術分野において、一般にある程度よりも厚さが薄いと「フィルム」と称し、ある程度の寸法よりも厚いと「シート」と表示されることが多い。しかし、本明細書では、写真用フィルムは厚さとは関係なく「フィルム」の用語が使用されていることから、用語の混同を防止するため、フィルム収納部が一般的な意味での合成樹脂フィルムで構成されている場合でも、「合成樹脂シート」と称している。従って、本明細書において，「シート」の厚さには限定はない。
【発明の効果】
【００１７】  本発明によると、収納されている写真用フィルムにどのような内容の画像が担持されているか、その画像内容を一目瞭然に視認できる。このため写真用フィルムの整理を行うのに頗る便利である。また、焼き増しの注文を行う場合も頗る便利である。【００１８】また、表示部に表示されている画像内容を視認して注文欄に焼き増し注文を記入できるため、ユーザー及びＤＰＥ店において便利のみならず、注文間違いをなくすこともできる。また、収納体自身が表示機能と記入機能とを持っているため、ネガ袋と注文シートとを別々にした場合のような紛失の虞は皆無であり、このため、顧客及びＤＰＥ店との両方とで取り扱いや管理は確実かつ簡便である。
請求項２の構成を採用すると、注文欄におけるコマ番号の存在により、注文者及びＤＰＥ店とも焼き増しの間違いを無くすことができる。【００１９】  なお、フィルム収納体への画像の印刷手段としては、インクジェット式プリンタや静電複写機など、様々のプリンタを採用できる。【００２０】  ところで、ネガフィルムにしてもポジフィルムにしても、その始端部の数コマ分はカメラへの装填のためにパッケージから露出しており、このため、現像後においても写真用フィルムの始端部の数コマは画像が存在しない完全露光部になっている。【００２１】本願発明はこのような写真用フィルムを特質と利用したもので、最上段の横長ポケット部のうちコマ連続フィルムの完全露光部に対応した部分を撮影データの記入部と成している。見方を変えて述べると、デッドスペースを利用してデータ記入部となしている。このため、フィルム収納体を大型化することなく、撮影データ等を記入することができるのである。【００２２】
【発明を実施するための最良の形態】
【００２３】  次に、本発明の具体例を図面に基づいて説明する。
（１）．第１具体例（図１〜図５）
図１〜図５では第１具体例を示している。このうち図１はフィルム収納体の斜視図、図２は平面図、図３は図２のＩＩＩ−ＩＩＩ視断面図、図４は図２のＩＶ−ＩＶ視断面図である。【００２４】  フィルム収納体は、横長の形態のポケット部２の複数個を多段に連続させて成る収納部１と、この収納部１の表面に貼着された表面シート３とで構成されている。各ポケット部２は右側に開口しており、１つのポケット部２に、７つのコマを連続させた１本のコマ連続フィルム（写真用フィルム）４が抜き差し自在に入る。【００２５】  フィルム収納部１は表裏の樹脂シート５，６から成っており、多段に溶着する（溶着箇所を符号７で示す）ことによってポケット部２が形成されている。また、表裏樹脂フイルム５，６はその左側縁の全体が溶着されており、これにより、フィルム収容体に閉止された余裕部（換言すると閉止部）８を形成しており、この余裕部８に、バイダーやファイリングブックに綴じるためのファイル穴９を多数空けている。【００２６】  なお、ファイル穴９の個数はバイダーやファイルの種類によって選択したらよい。上向きに開口した透明フィルム製の袋体を多数綴じたファイル（バインダー）が市販されているが、このファイルに綴じられた袋体にフィルム収納体を格納することも可能であり、この場合は穴は不要となる。【００２７】  フィルム収納部１を構成する合成樹脂シートは従来のネガ袋と同じでよい。表面シート３は例えば艶のあるコート紙を使用できる。この表面シート３に、各コマ連続フィルム４の各コマに対応した区画１０が枠線によって形成されており、この区画１０に、コマ連続フィルム４に担持されている画像を表示している。画像の表示方法としては、例えばインクジェットプリンタによるプリントを採用できる。【００２８】  ところで、ネガフィルムにしてもポジフィルムにしても、パッケージからはカメラに装填するための余長部が露出しており、このため、少なくとも３コマほどは必ず画像が存在しない完全露光部１１になっている。【００２９】  そこで、表面シート３のうち最上段の左端の３つのコマに相当する部分をデータ記入部１２と成している。このデータ記入部１２に、撮影者、撮影日、撮影場所、整理番号等の様々のデータを記録できる。図示の具体例では、複数のデータ記入部１２は複数のエリアに区画されているが、一つの枠で囲うだけでもよい。【００３０】  表面シート３の表面は出荷する段階で予め枠線を印刷しておいてもよいし、枠線を画像と一緒にＤＰＥ店で印刷してもよい。【００３１】  コマ連続フィルム４の上縁と下縁とにはカメラのスプロケットに嵌まる角形の送り穴１３が多数空いており（図２では送り穴１３は部分的にしか表示していない）、このため画像部の上下幅はコマ連続フィルム４の上下幅よりも小さい。３５ｍｍフィルムの場合、画像部は約２５ｍｍである。そこで、表面シート３における単位表示部１０は上下幅を２５ｍｍとして、その下の上下幅１０ｍｍの部分を注文欄１４としている。【００３２】  この注文欄１４にコマ番号１５を通し番号として表示している。このコマ番号１５の存在により、注文者及びＤＰＥ店とも焼き増しの間違いを無くすことができる。注文欄１４は斜線で左右に区切っている。斜線の左側には写真の大きさを、右側には注文枚数を記入できる。これはユーザーの便宜に供せんとするものであるが、もちろん、斜線はなくてもよい。【００３３】  本具体例では、注文欄１４とコマ連続フィルム４の送り穴１３とが重なっている。このため、鉛筆やボールペンのような筆記具の先端で表面シート３が突き破ることがないように、表面シート３はある程度の厚さのものを使用している。筆記具で表面シート３が突き破られることを防止するのは、表樹脂シート５の厚さを適度に厚くすることによっても実現できる。【００３４】  本具体例ではポケット部２を７段設けている。これは３６枚撮りのフィルムに対応したものである（３６枚撮りフィルムは７本のコマ連続フィルムに分断される）。他方、フィルム収納体は折り畳んで小袋に入れてＤＰＥ店に出されることが殆どである。【００３５】  そこで、２段目のポケット部２と３段目のポケット部２との間の溶着箇所、４段目のポケット部２と５段目のポケット部２との間の溶着箇所、６段目のポケット部２と７段目のポケット部２との間の溶着箇所の３箇所の溶着箇所に折り目を形成している。図２で折り目は一点鎖線で表示し、符号１６を付している。折り目を設けている溶着部７はそうでない溶着部７よりもやや上下幅が大きくなっている。【００３６】  表面シート３を表樹脂シート５に固着するのは様々の方法を採用できる。その１つは接着剤を使用した接着である。紙製の表面シート３の場合、裏面に合成樹脂膜をラミネートしておくことにより表樹脂シート５に溶着することも可能である。【００３７】  図５では表面シート３に画像を表示するシステムの流れ示している。すなわち、撮影済でパッケージされた元フィルム１７を現像して現像済の画像形成用フィルム１８と成し、次いで、現像された内容を専用のスキャナーＳＣで読み取ってデータをパソコンＰＣに移送し、それからプリンターＰＲで画像を印刷するのである。点線で示すように、スキャナーＳＣからプリンタＰＲに直接にデータを送ってもよい。【００３８】  プリンタＰＲは、フィルム収納体がずれないように専用の保持装置を備えていてもよい。フィルム収納体に多数のファイル用９を空けておくと、このファイル穴９を利用してフィルム収納体をプリンタＰＲで正確に送ることが容易となる。【００３９】  図２に示すように、フィルム収納体の表面部の右縁のうち各ポケット部２の上下開口縁となる部分には外向きの開口した切り込み１９を入れている。これはコマ連続フィルム４の抜き出しやすくするためのものである。【００４０】  （２）．第２具体例（図６）
図６に示す第２具体例では、コマ連続フィルム４のコマ番号１５を画像の片隅に表示している。他の構成は第１具体例と同じである。【００４１】  （３）．第３具体例（図７）
ハーフサイズで撮影されたフィルムの場合は、図７に第３具体例として示すように、単位表示部１０を通常の状態に比べて左右に分断すればよい。この場合はコマ番号１５の表示には必ずＡ，Ｂが付加される。コマ番号１５は注文欄１４に印刷してもよい。【００４２】  （４）．第４具体例（図８）
図８に示す第４具体例では、注文欄１４を単位表示部１０の上端に併設している。また、注文欄１４に、サービスサイズ（Ｓ），Ｌサイズ（Ｌ）、ＬＬサイズ（ＬＬ），六つ切りサイズ（６Ｐ）、四つ切りサイズ（４Ｐ）等の写真サイズを予め印刷している。したがって、ユーザーが焼き増しの注文をするにおいては、望みのサイズを筆記具で丸で囲って、サイズ欄の上方の空欄に枚数を記入すれば良い。【００４３】  （５）．第５具体例（図９）
図９に示す第５具体例は、単位表示部を形成する別例である。すなわちこの第５具体例では、フィルム収納部１を表裏の樹脂シート５，６で構成している場合において、表樹脂シート５の表面に、インクジェット式等のプリンタで画像を印刷できるプリント可能層（プリント可能膜）２１を形成している。プリント可能層２１の具体的な態様としては、例えば白い印刷インクの塗布を採用できる。【００４４】  フィルム収納部１の表面部を紙で構成するなどして、フィルム収納体の表面に直接に画像をプリントすることも可能である。表裏の紙でフィルム収納部１を構成することも可能である。【００４５】  （６）．第６具体例（図１０）
画像表示部を形成する手段として紙製や樹脂フィルム製の表面シート３を使用する場合は、予め表面シート３をフィルム収納体に貼っておく必要はなく、図１０に第６具体例として示すように、ＤＰＥ店において表面シート３をフィルム収納体に貼ることも可能である。【００４６】  表面シート３の裏面（下面）は接着剤層２２が形成されており、これを離型紙（或いは離型フィルム）２３で保護している。画像の印刷は表面シート３の貼り付け後に行っても良いし、貼り付け前に行っても良い。【００４７】  （７）．第７具体例（図１１〜図１２）
図１１及び図１２では第７具体例を示している。図１１は部分平面図、図１２は図１１のＸＩＩ−ＸＩＩ断面図である。【００４８】  この具体例では、フィルム収納体の表面に透明樹脂製の補助フィルム２４を重ねて、これと表樹脂シート５とを溶着することにより、各ポケット部２と重なり合う補助パケット部２５を形成している。補助ポケット部２５には、コマ連続フィルム４の各コマに対応した画像が焼き付けられた帯状印画紙２６を挿入できる。【００４９】  補助ポケット部２の表面には、白い印刷インクを塗布して筆記可能となした注文欄１４を形成している。コマ番号１５は印画紙に印刷している。【００５０】  印画紙２６には画質が高くて耐久性に優れた銀塩写真がプリントされているため、第７具体例によると、画質が鮮明で内容を一層視認しやすく、かつ、色あせがしにくい利点がある。【００５１】  （８）．ファイリングブックの参考例（図１３〜図１４）
図１３及び図１４では、多数のフィルム収納体をファイリングするのに好適なファイリングブック２８の例を示している。図１４は平断面図、図１４は断面図である。【００５２】  このファイリングブック２８は裏表紙２９と背表紙３０と表紙３１とが一連に連続している。裏表紙の付け根部近傍には、フィルム収納体のファイル穴９に嵌まる丸パイプ３２が複数本（例えば４本）上下に離れて突設されている。【００５３】  フィルム収納体は押さえ金具３３で丸パイプ３２から抜け不能に保持される。押さえ金具３３には、丸パイプ３２に嵌まるピン３４が固着されている。表紙３１の付け根部の裏面には、押さえ金具３３が嵌まる凹み３５を形成している。【００５４】  裏表紙２９の自由端には、ストッパー片２９ａが屈曲自在に繋がっている。このストッパー片２９ａは、背表紙を上向きにしたときにコマ連続フィルム４がポケット部２から抜け出ることを阻止するためのものである。ストッパー片２９ａの先端には屈曲自在な重合片２９ｂが一体に繋がっている。重合片２９ｂと表紙３１とは板状マグネット３６で一体に保持される。
【図面の簡単な説明】
【００５５】
【図１】第１具体例の斜視図である。
【図２】第１具体例の平面図である。
【図３】図２のＩＩＩ−ＩＩＩ視断面図である。
【図４】図２のＩＶ−ＩＶ視断面図である。
【図５】フィルム収納体に画像を表示するシステムの一例を示す概念図である。
【図６】第２具体例を示す図である。
【図７】第３具体例を示す図である。
【図８】第４具体例を示す図である。
【図９】第５具体例を示す図である。
【図１０】第６具体例を示す図である。
【図１１】第７具体例を示す図である。
【図１２】図１１のＸＩＩ−ＸＩＩ断面図である。
【図１３】フィルム収納体用ファイリングブックの平面図である。
【図１４】ファイリングブックの断面図である。
【符号の説明】
【００５６】  １  フィルム収納部
２  ポケット部
３  表面シート
４  コマ連続フィルム
５  表樹脂シート
６  裏樹脂シート
９  ファイル用穴
１０  単位表示部
１２  データ記入部
１４  注文欄
１５  コマ番号
【図１】
0004502175.tif 000002
【図２】
0004502175.tif 000003
【図３】
0004502175.tif 000004
【図４】
0004502175.tif 000005
【図５】
0004502175.tif 000006
【図６】
0004502175.tif 000007
【図７】
0004502175.tif 000008
【図８】
0004502175.tif 000009
【図９】
0004502175.tif 000010
【図１０】
0004502175.tif 000011
【図１１】
0004502175.tif 000012
【図１２】
0004502175.tif 000013
【図１３】
0004502175.tif 000014
【図１４】
0004502175.tif 000015